(57)【要約】      （修正有）【課題】汗をかいた際のずれ落ち防止に効果がある。【解決手段】先端が略半球状に形成された柱状の軟質突起５が所望間隔で一体的に植設された軟質エラストマー製の軟質部材１と、前記軟質突起５の植設位置と相応する位置に透孔６が形成されており、前記軟質部材１と重ね合わされ、前記透孔６の表面側から軟質突起５の先端がわずかに突出して凸部７が形成される様になった硬質部材２とから、メガネの皮膚接触部材を構成し、前記凸部７をメガネ装用者の皮膚に接する様にした。【選択図】図１
0003106675.tif 000002
【実用新案登録請求の範囲】
【請求項１】
先端が略半球状に形成された柱状の軟質突起５が所望間隔で一体的に植設された軟質エラストマー製の軟質部材１と、前記軟質突起５の植設位置と相応する位置に透孔６が形成されており、前記軟質部材１と重ね合わされ、前記透孔６の表面側から軟質突起５の先端がわずかに突出して凸部７が形成され様になった硬質部材２とからなり、前記凸部７がメガネ装用者の皮膚に接する様になっていることを特徴とするメガネの皮膚接触部材。
【考案の詳細な説明】
【技術分野】
【０００１】
この考案はメガネの皮膚接触部材、詳しくはメガネ装用者の皮膚に接触する部材であるノーズパッド及び耳当てモダンの構造に関するものである。
【背景技術】
【０００２】
メガネはノーズパッドと耳当てモダンによって装用者の皮膚に接して保持される様になっているが、これらはメガネの装着感の良否に決定的な影響を当てる重要な部材であり、ずれ落ちを防ぐ為、従来からこれら部材には様々な工夫が加えられている。
【特許文献１】なし
【非特許文献１】なし
【考案の開示】
【考案が解決しようとする課題】
【０００３】
従来から、ノーズパッドや耳当てモダンを軟質材料で構成し、皮膚への密着性を向上させたり、これらの形状に工夫をこらして皮膚との摩擦力を増大させてずれ落ちを防ぐ試みがなされているが、いずれも汗をかいた際のずれ落ちに対しては、あまり効果がなかった。
【０００４】
即ち、皮膚には発汗現象があるので、メガネ装用中に汗をかいた場合、ノーズパッドや耳当てモダンなどの皮膚接触部材と皮膚との間に汗がたまってしまい、汗の層が形成され、これによって皮膚接触部材は滑りやすくなり、ずれ落ちを誘発するからである。
【０００５】
本考案者は、上記従来の問題点を解決すべく研究を行った結果、軟質エラストマーと硬質合成樹脂とを組み合わせることによって良好な装着感を持つと共に、汗をかいた場合でもずれ落ちしにくい、新しいメガネの皮膚接触部材を開発することに成功し、本考案としてここに提案するものである。
【課題を解決するための手段】
【０００６】
先端が略半球状に形成された柱状の軟質突起５が所望間隔で一体的に植設された軟質エラストマー製の軟質部材１と、前記軟質突起５の植設位置と相応する位置に透孔６が形成されており、前記軟質部材１と重ね合わされ、前記透孔６の表面側から軟質突起５の先端がわずかに突出して凸部７が形成される様になった硬質部材２とから、メガネの皮膚接触部材を構成し、前記凸部７をメガネ装用者の皮膚に接する様にすることにより、上記課題を解決した。
【実施例】
【０００７】
図１は皮膚接触部材の一つであるノーズパッドに本考案を用いた実施例の縦断面図、図２はその分解斜視図、図３は同じく皮膚接触部材の一つである耳当てモダンに本考案を用いた実施例の縦断面図、図４はその分解斜視図である。
【０００８】
まず、はじめに、図１及び図２に基づいてノーズパッドについて説明する。このノーズパッドは、軟質エラストマー製の軟質部材１と硬質合成樹脂製の硬質部材２とから構成されている。軟質部材１は、図示を省略したパッドアームに接続される接続足部３と、この接続足部３の上方に一体的に形成された基板部４と、この基板部４から所望間隔を保って上方部に向って植設された複数の軟質突起５から構成されており、軟質突起５の先端は略半球状に形成されている。
【０００９】
一方、硬質部材２は略楕円形平面形状を有する盤状体であり、硬質合成樹脂を素材とし、前記軟質部材１の軟質突起５の植設位置と相応する位置にその表裏を貫く透孔６が形成されている。そして、図１に示す様に、軟質部材１と硬質部材２とは上下に重ね合わされ、透孔６にその裏面側から軟質部材１の軟質突起５が挿入され、該軟質突起５の先端は硬質部材２の表面側から上方にわずかに突出し、略半球状の凸部７が複数個形成されている。なお、この実施例においては、この凸部７の高さは０．１ｍｍ乃至０．４ｍｍとなっており、この凸部７は少なくとも５箇所以上形成されている。
【００１０】
次に、図３及び図４に基づいて、本考案を用いた耳当てモダンについて説明する。この耳当てモダンも軟質エラストマーを素材とした軟質部材１と硬質合成樹脂を素材とした硬質部材２とから構成されている。硬質部材１は図示の様に棒状をなした部材であり、その長手方向にはその前端側から後端方向へ向ってテンプル芯挿入長孔９が形成されており、後端寄りの側面は平行に削り取られ、軟質部材重ね合わせ部１０となっており、この軟質部材重ね合わせ部１０にはその表裏を貫いて複数の透孔６が形成されている。
【００１１】
一方、軟質部材１は前記軟質部材重ね合わせ部１０にぴったりと重ね合わされる形状となっており、その表面の前記透孔６の形成箇所に相応する位置からは、一体的に軟質突起５が植設されており、軟質突起５の先端は略半球状に形成されている。
【００１２】
そして、図３に示す様に、軟質部材１と硬質部材２とは上下に重ね合わされ、透孔６にはその裏面側から軟質部材１の  軟質突起５が挿入され、該軟質突起５の先端は硬質部材２の表面側から上方にわずかに突出し、略半球状の凸部７が複数個形成されている。なお、この実施例においては、この凸部７の高さは０．１ｍｍ乃至０．４ｍｍとなっており、この凸部７は少なくとも５箇所以上形成されている。この様にして構成された皮膚接触部材であるノーズパッド及び耳当てモダンにおいては、その表面側には軟質エラストマーを素材とする凸部７が形成されているので、メガネ装用中に汗をかいても、汗は隣接した凸部７、７間の平坦部８を通って流れてしまい、凸部７が汗によって皮膚から浮いてしまう事態は発生せず、凸部７が皮膚に確実に接触し続け、ずれ落ちを防ぐことになる。又、汗は平坦部８を通って速やかに排出されるので、汗のたまりによる皮膚のかぶれが発生することもない。更に、皮膚に接する部分は軟質エラストマーからなる軟質突起５であるので、長時間の装用によっても皮膚に接触跡を残すことがない。軟質部材１と硬質部材２とが組み合わされているので、必要にして十分な剛性を有しており、メガネを安全確実に保持させることが出来る、など数々のすぐれた効果を有し、高い実用的価値を有するものである。
【図面の簡単な説明】
【００１３】
【図１】メガネの皮膚接触部材の一つであるノーズパッドに本考案を用いた実施例の縦断面図。
【図２】同じく、その分解斜視図。
【図３】同じく、耳当てモダンに本考案を用いた実施例の縦断面図。
【図４】同じく、その分解斜視図。
【符号の説明】
【００１４】
１    軟質部材
２    硬質部材
３    接続足部
４    基板部
５    軟質突起
６    透孔
７    凸部
８    平坦部
９    テンプル芯挿入長孔
１０    軟質部材重ね合わせ部
【図１】
0003106675.tif 000003
【図２】
0003106675.tif 000004
【図３】
0003106675.tif 000005
【図４】
0003106675.tif 000006